(57)【特許請求の範囲】
【請求項１】
全体が立方体に成る硬質ゴム製の基台の中心部に通孔を設け、この通孔を基台底面部に設けた凹溝部に連通し、前記通孔に挿入する適当長さの螺軸を基端に基板を固着して前記凹溝部に嵌置し、前記螺軸の上端に雌螺子を螺装し、前記基板の一端部に設けた取付部材を前記基台の一部に連結して成ることを特徴とするソーラーパネル取付け用基礎装置。
【請求項２】
基台の一側端面部に当接する抑止板と基台の他側端面部に設ける取付部材との間を基板で連結し、前記取付部材は上下の水平板と締付板との間に横葺屋根部を挟合しこれを螺子にて緊締するように成る請求項１に記載したソーラーパネル取付け用基礎装置。
【請求項３】
基台の上側面部に載置した当接板の曲折した一側面部に連結する左右の取付板を設けた取付部材は、左右に分岐した把持板間に竪平葺屋根部を挟合しこれを螺子にて緊締するように設けて成る請求項１に記載したソーラーパネル取付け用基礎装置。
【発明の詳細な説明】
【技術分野】
【０００１】
本発明は、折板屋根上に設置するソーラーパネル取付け用の基礎装置に関するものである。
【背景技術】
【０００２】
近年、ソーラーパネルを屋根面に設置することが普及しているところ、本発明者は長年屋根面における雪止め取付具を開発実施して来たことに鑑み、その技術をソーラーパネルの取付け装置において応用せんとして開発するものである。
【０００３】
従来公開されている屋根用の一般的な取付装置として、次に例示されるような極めて複雑な構造のものはあるし、また普及している折板屋根にあっては、屋根板の適所に穿孔し螺子や釘を用いて取付けているものもあるため、雨水の浸入という悪影響を及ぼしていたものもある。
【先行技術文献】
【特許文献】
【０００４】
【特許文献１】実開平１−８９５２３号公報
【特許文献２】実開平６−２２４３８号公報
【特許文献３】特開２００１−１４０４１６号公報
【特許文献４】特許第３８１１４１２号公報
【発明の概要】
【発明が解決しようとする課題】
【０００５】
そこで、本発明は、折板屋根である横葺用屋根面及び竪平葺用屋根面において、ソーラーパネルを確実に取付ける手段を提供するとともに屋根勾配面に即応したソーラーパネルの取付け用の基礎装置を提供することを目的とするものである。
【課題を解決するための手段】
【０００６】
本発明は、全体が立方体に成る硬質ゴム製の基台の中心部に通孔を設け、この通孔を基台底面部に設けた凹溝部に連通し、前記通孔に挿入する適当長さの螺軸の基端に基板を固着して前記凹溝部に嵌置し、前記螺軸の上端に雌螺子を螺装し、前記基板の一端部に設けた取付部材を前記基台の一部に連結し、この取付部材を横葺屋根の一部又は竪平葺屋根の一部に取付けるように成るソーラーパネル取付け用の基礎装置である。
【０００７】
また、基台の一側端面部に当接する抑止板と基台の他側端面部に設ける取付部材との間を基板で連結し、前記取付部材は上下の水平板と締付板との間に横葺屋根部を挟合しこれを螺子にて緊締するように成るソーラーパネル取付け用基礎装置である。
【０００８】
また、基台の上側面部に載置した当接板の曲折した一側面部に連結する左右の取付板を設けた取付部材は、左右に分岐した把持板間に竪平葺屋根部を挟合しこれを螺子にて緊締するように設けて成るソーラーパネル取付け用基礎装置である。
【発明の効果】
【０００９】
本装置は、横葺又は竪平葺の折板屋根の所定箇所に多数個取付ける取付部材は、立方体の硬質ゴム材から成る基台と一体に構成しているものであるから、その上面部にソーラーパネル材を設置したときには、安定性のよい状態の基礎装置として支持されるようになる。
【００１０】
この基礎装置は、取付ける対象の屋根形態が横葺であろうと竪平葺であろうとも変わらず、確実に安定性よく取付けることができる。
【００１１】
その取付け施工は比較的迅速かつ簡単に行うことができるし、折板屋根面への影響は一切なく、太陽光熱を確実に受容して発電量を増大することができる。
【図面の簡単な説明】
【００１２】
【図１】第１実施例の各部材の斜視図
【図２】同上の各部材の組立て時の平斜視図
【図３】図２の底斜視図
【図４】同上の取付け施工時の斜視図
【図５】第２実施例の各部材の斜視図
【図６】同上の各部材の組立て時の平斜視図
【図７】図６の底斜視図
【図８】同上の取付け施工時の斜視図
【発明を実施するための形態】
【００１３】
本発明にあっては、２つの実施例として、ソーラーパネルを横葺屋根面上に取付ける場合の基礎装置と竪平葺屋根面上に取付ける場合の基礎装置とがあるから、これについて各別に説明する。
【００１４】
第１実施例の場合にあっては、硬質ゴム製の立方体に成る基台の一側端面部に当接する抑止板の他側端面部に取付部材を固着し、前記基台の中心部に設けた通孔を基台の底面部に形成した凹溝部に連通し、この凹溝部に嵌装する基板に前記螺軸の基端を固着し、前記螺軸の上端部には雌螺子を螺合し、前記取付部材は上下の水平板と締付板とを横葺の折板部に挿入挟合した後、螺子により緊締するものである。
【００１５】
第２の実施例の場合にあっては、硬質ゴム製の立方体の基台の上側面部に当接板を載置し、この当接板及び前記基台の中心部に設けた通孔に螺軸を挿入し、この螺軸の基端に固着した基板を基台の底面部中央に設けた凹溝部の一部に連通して嵌置し、この当接板の一側面部に取付板を介して左右に分岐した把持板から成る取付部材を設け、この取付部材の左右把持板間に竪平葺の折板部を挟合した後、螺子により緊締するものである。
【実施例１】
【００１６】
第１実施例について説明する。（図１乃至図４参照）
【００１７】
１は適当大きさの立方体に成る基台で、この基台は硬質ゴム材によって構成する。
【００１８】
２は前記基台１の中心部に設ける通孔で、この通孔には螺軸３が挿入し、この螺軸の上端部には雌螺子４が螺合する。
【００１９】
５は中央部に前記螺軸３の基端が固着する断面凵形に成る基板で、この基板の一側端面部には垂直に抑止板６を設ける。
【００２０】
７は前記基板５の他側端面部に副板６’を介して設ける取付部材で、この取付部材にはＬ形垂直部の外立板８とＬ形水平部の水平板９を設け、かつこの水平板の対向上位置にはＬ形に成る水平の締付板１０と垂直の内立板１１を設ける。
【００２１】
前記取付部材７の垂直の外立板８と内立板１１とは、その上端部を前記副板６’との間に止着１２している。
【００２２】
前記外立板８に止着１２する内立板１１と一体に成る締付板１０は、下方の水平板９との間に開口部１３を形成するとともにその中央部間に螺子１４を設け、これに雌螺子１５を螺装するように成る。
【００２３】
１６は前記基台１の底面部中央に設けた凹溝部で、前記基台の中心部に設けた通孔２の下端部はこの凹溝部１６に連通している。
【００２４】
前記基台１の凹溝部１６には前記基板５が嵌装し、これによって、前記抑止板６が基台の一側面部に当接し、また前記内立板１１及び外立板８は基台の反対側面部に当接する。
【００２５】
１７は予備的に用意する適度の三角形勾配を有する補助台で、これは前記基台１と同一材料によって構成するが、その中心部には通孔１８を設ける。この通孔には、前記基台１の通孔２に連通する螺軸３が挿通するようになる。この補助台は、その角度勾配の異なるものを複数用意するとよい。
【００２６】
前記取付部材７の水平板９は横葺屋根ａの折板部の下側に挿入し、これに対向する上方の締付板１０は横葺屋根の折板部の上側に当接した後、螺子１４及び雌螺子１５の螺合によって屋根部材の一部を挟合して固定する。
【実施例２】
【００２７】
第２実施例について説明する。（図５乃至図８参照）
【００２８】
２１は適当大きさの立方体になる基台で、この基台は硬質ゴム材によって構成する。
【００２９】
２２は前記基台２１の中心部に設けた通孔で、この通孔には螺軸２３が挿入し、この螺軸の上端部には雌螺子２４が螺合する。
【００３０】
前記通孔２２の下端部は、前記基台２１の底面部中央に設けた凹溝部２５の中心部に連通している。
【００３１】
２６は中央部に前記螺軸２３の基端が固着する基板で、この基板は前記基台２１の底面部中央に設けた凹溝部２５の中央部のやや巾広溝部２５’に嵌置する。
【００３２】
２７は前記基台２１の上側面部に載置する当接板で、この当接板の中央部の通孔には前記螺軸２３を挿入し雌螺子２４によって螺装する。
【００３３】
２８は前記当接板２７の直角に曲折した一側面部２７’に左右の取付板２９，２９を介して取付ける取付部材で、この取付部材は左右に分岐した把持板３０，３０間に竪平葺屋根部ｂを挟合して取付ける。
【００３４】
３１，３１，３１，３１は前記両把持板３０，３０の各前後端部に設けた載置部で、竪平葺屋根の平面部に設置する。
【００３５】
３２，３２は前記取付部材２８の左右把持板３０，３０間に架設して緊締する螺子で、これによって竪平葺屋根部ｂに固定する。
【００３６】
この第２実施例の場合であっても、前記した三角形勾配を有する補助台１７を予備的に用意してもよい。
【００３７】
Ａは前記基台１，２１上に架設するソーラーパネル取付け用の設置部材である。
【符号の説明】
【００３８】
１                        基台
２                        通孔
３                        螺軸
４                        雌螺子
５                        基板
６                        抑止板
６’                      副板
７                        取付部材
８                        外立板
９                        水平板
１０                      締付板
１１                      内立板
１２                      止着
１３                      開口部
１４                      螺子
１５                      雌螺子
１６                      凹溝部
１７                      補助台
１８                      通孔
２１                      基台
２２                      通孔
２３                      螺軸
２４                      雌螺子
２５                      凹溝部
２５’                    巾広溝部
２６                      基板
２７                      当接板
２７’                    一側面部
２８                      取付部材
２９，２９                取付板
３０，３０                把持板
３１，３１，３１，３１    載置部
３２，３２                螺子
【図１】
0005480727.tif 000002
【図２】
0005480727.tif 000003
【図３】
0005480727.tif 000004
【図４】
0005480727.tif 000005
【図５】
0005480727.tif 000006
【図６】
0005480727.tif 000007
【図７】
0005480727.tif 000008
【図８】
0005480727.tif 000009